(57)【要約】【課題】視聴者の番組視聴をできるだけ邪魔することなく、各局の番組情報等の付属情報を効率よく取得可能とするデジタル放送受信装置を提供する。【解決手段】デジタル放送を受信して、選択された局のトランスポートストリームを取り出す選局手段（１、２、３）と、トランスポートストリームから付属情報を取り出す付属情報処理手段（５）と、取り出された付属情報を記憶する記憶手段（１１）と、選局手段（１、２、３）、付属情報処理手段（５）及び記憶手段（１１）の制御を行う制御手段（１２）とを備える。制御手段（１２）は、記憶手段（１１）に各局の付属情報が記憶されているか否かを確認し、各局の付属情報が不足していると確認した場合は、現在時刻が現在視聴中の番組の終了時刻ｔの所定時間Ｔ前を過ぎたときに、選局手段（１、２、３）及び付属情報処理手段（５）に対して各局の付属情報を取得するように制御する。【選択図】        図２
2004274672.tif 000002
【特許請求の範囲】
【請求項１】
デジタル放送を受信して、選択された局のトランスポートストリームを取り出す選局手段と、
前記トランスポートストリームから付属情報を取り出す付属情報処理手段と、
前記取り出された付属情報を記憶する記憶手段と、
前記選局手段、前記付属情報処理手段及び前記記憶手段の制御を行う制御手段とを備え、
前記制御手段は、前記記憶手段に各局の付属情報が記憶されているか否かを確認し、前記各局の付属情報が不足していると確認した場合は、現在時刻が現在視聴中の番組の終了時刻の所定時間前を過ぎたときに、前記選局手段及び前記付属情報処理手段に対して前記各局の付属情報を取得するように制御することを特徴とするデジタル放送受信装置。
【請求項２】
前記所定時間は、あらかじめ設定されている時間であるか、又は、視聴者により設定若しくは変更可能な時間であることを特徴とする請求項１記載のデジタル放送受信装置。
【請求項３】
デジタル放送を受信して、選択された局のトランスポートストリームを取り出す選局手段と、
前記トランスポートストリームから付属情報を取り出す付属情報処理手段と、
前記取り出された付属情報を記憶する記憶手段と、
情報を表示する表示手段と、
前記選局手段、前記付属情報処理手段、前記記憶手段及び前記表示手段の制御を行う制御手段とを備え、
前記制御手段は、前記記憶手段に各局の付属情報が記憶されているか否かを確認し、前記各局の付属情報が不足していると確認した場合は、前記表示手段にその旨の情報を表示させ、前記情報に対する視聴者の指示に基づいて前記選局手段及び前記付属情報処理手段に対して前記各局の付属情報を取得するように制御することを特徴とするデジタル放送受信装置。
【請求項４】
前記付属情報は、番組情報及び／又は番組ガイドであることを特徴とする請求項１乃至３のいずれか１項記載のデジタル放送受信装置。
【発明の詳細な説明】
【０００１】
【発明の属する技術分野】
この発明は、ＥＰＧ（Ｅｌｅｃｔｒｉｃ  Ｐｒｏｇｒａｍ  Ｇｕｉｄｅ：電子番組ガイド）等を表示させるにあたり、付属情報を効率よく取得することができるデジタル放送受信装置に関するものである。
【０００２】
【従来の技術】
従来のデジタル放送受信装置には、番組情報のうち、表示に必要な一部の情報のみを簡約番組情報として蓄積しておき、電子番組ガイドの機能提供時に番組ガイドが取得できなくても最低限の表示が可能であるようにするものがある（例えば、特許文献１参照）。
【０００３】
また、デジタル放送受信装置の電源がオフとなったときに予めＥＰＧ表示に関するデータ（ＳＩ（Ｓｅｒｖｉｃｅ  Ｉｎｆｏｒｍａｔｉｏｎ）データ）の取得処理を行い、これによってテレビジョン受信装置の電源がオンとなってから短時間でＥＰＧを表示することができるようにしているものもある（例えば、特許文献２参照）。
【０００４】
【特許文献１】
特開２００１−２１１４００公報（第４−７頁、第１図）
【特許文献２】
特開２００１−１８６４２６公報（第３−５頁、第１図）
【０００５】
【発明が解決しようとする課題】
例えば、ＢＳデジタル放送のように、ひとつのトランスポートストリームに全局の番組情報が付加されている場合は、現在受信中のトランスポートストリームから全局の番組情報を取得して、電子番組ガイドを表示することができる。一方、地上デジタル放送のように、ひとつのトランスポートストリームにその局の番組情報しか付加されていない場合は、一旦、全局のトランスポートストリームを受信して、それぞれのトランスポートストリームから各局の番組情報を取得してメモリに記憶し、電子番組ガイドを表示する必要がある。このため、電源スタンバイ時に全局をスキャンして各局の番組情報を取得しておくことが推奨されている。しかしながら、この番組情報は一定期間（例えば８日間）の分しか伝送されてこないので、視聴者が長期間（例えば８日以上）にわたって電源を入れたまま同じチャンネルしか選局しなかった場合や、長期間にわたって主電源を切っていた後に電源を入れた場合は、現在選局中の放送局しか有効な番組情報がメモリに存在しないことになる。
【０００６】
上記のような従来のデジタル放送受信装置では、このような状況について考慮されておらず、視聴者が長期間にわたって同じチャンネルしか選局しなかった場合や、長期間にわたって主電源を切っていた後に電源を入れた場合、その後、電子番組ガイドを表示しても現在選局中以外の放送局の番組情報を表示できないという問題点があった。
【０００７】
この発明は、上述のような課題を解消するためになされたもので、視聴者の番組視聴をできるだけ邪魔することなく、各局の番組情報等の付属情報を効率よく取得可能とするデジタル放送受信装置を提供することを目的とする。
【０００８】
【課題を解決するための手段】
この発明に係るデジタル放送受信装置は、デジタル放送を受信して、選択された局のトランスポートストリームを取り出す選局手段と、前記トランスポートストリームから付属情報を取り出す付属情報処理手段と、前記取り出された付属情報を記憶する記憶手段と、前記選局手段、前記付属情報処理手段及び前記記憶手段の制御を行う制御手段とを備え、前記制御手段は、前記記憶手段に各局の付属情報が記憶されているか否かを確認し、前記各局の付属情報が不足していると確認した場合は、現在時刻が現在視聴中の番組の終了時刻の所定時間前を過ぎたときに、前記選局手段及び前記付属情報処理手段に対して前記各局の付属情報を取得するように制御することを特徴とする。
【０００９】
また、デジタル放送を受信して、選択された局のトランスポートストリームを取り出す選局手段と、前記トランスポートストリームから付属情報を取り出す付属情報処理手段と、前記取り出された付属情報を記憶する記憶手段と、情報を表示する表示手段と、前記選局手段、前記付属情報処理手段、前記記憶手段及び前記表示手段の制御を行う制御手段とを備え、前記制御手段は、前記記憶手段に各局の付属情報が記憶されているか否かを確認し、前記各局の付属情報が不足していると確認した場合は、前記表示手段にその旨の情報を表示させ、前記情報に対する視聴者の指示に基づいて前記選局手段及び前記付属情報処理手段に対して前記各局の付属情報を取得するように制御することを特徴とする。
【００１０】
【発明の実施の形態】
以下、この発明をその実施の形態を示す図面に基づいて具体的に説明する。
実施の形態１．
図１は実施の形態１のデジタル放送受信装置を示すブロック図である。図１において、アンテナ１で受信された地上デジタル放送の放送電波はチューナ部２に入力される。チューナ部２で、指定された受信チャンネルの周波数変換などの処理が行われ、その出力は復調部３に入力される。復調部３で、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式によりデジタル変調された放送信号の復調処理が行なわれ、ＭＰＥＧ（Ｍｏｖｉｎｇ  Ｐｉｃｔｕｒｅ  Ｅｘｐｅｒｔｓ  Ｇｒｏｕｐ）のトランスポートストリームが出力される。ここで、符号化されている受信信号に対して、誤り訂正処理、デインタリーブ、エネルギー拡散などの処理が行われ、デスクランブラ４に入力される。アンテナ１、チューナ部２及び復調部３で、本発明における、デジタル放送を受信して選択された局のトランスポートストリームを取り出す選局手段を構成する。
【００１１】
デスクランブラ４では、Ｍｕｌｔｉ２により暗号化処理されたトランスポートストリームの復号処理が行われ、デマルチプレクサ５に入力される。デマルチプレクサ５で、トランスポートストリームの中から必要なパケットが、フィルタリングにより多重分離して取り出され、オーディオストリーム、ビデオストリーム、データストリームがそれぞれオーディオデコーダ６、ビデオデコーダ７、ＥＰＧデコーダ８に入力される。デマルチプレクサ５は、本発明における、トランスポートストリームから付属情報を取り出す付属情報処理手段を構成する。
【００１２】
オーディオストリームはオーディオデコーダ６でデジタル音声信号に復号処理され、音声制御部９に出力される。デジタル音声信号は、音声制御部９でＤＡ変換や増幅処理等を施され、図示しないスピーカに出力される。デマルチプレクサ５から出力されたビデオストリームは、ビデオデコーダ７でデジタル映像信号に復号処理され、映像制御部１０に出力される。デマルチプレクサ５から出力されたデータストリームは、ＥＰＧデコーダ８で処理され、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）やＥＩＴ（Ｅｖｅｎｔ  Ｉｎｆｏｒｍａｔｉｏｎ  Ｔａｂｌｅ）などのテーブルからＥＰＧデータが取得され、電子番組ガイドのグラフィック画面が作成され、映像制御部１０に出力される。ビデオデコーダ７から出力されたデジタル映像信号は、映像制御部１０でＤＡ変換されるとともに、ＥＰＧデコーダ８から出力された電子番組ガイドのグラフィック画面との合成などの処理を施され、図示しないディスプレイに出力される。
【００１３】
メモリ１１は、ＮＶＲＡＭ（Ｎｏｎ−ｖｏｌａｔｉｌｅ  Ｒａｎｄｏｍ  Ａｃｃｅｓｓ  Ｍｅｍｏｒｙ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）などシステムに必要な情報を記憶するための記憶手段であり、制御ＣＰＵ１２やＥＰＧデコーダ８などが必要なデータの書き込みや読み出しを行う。制御ＣＰＵ１２は、各回路の制御を行う制御手段であり、例えばチューナ部２に対する受信チャンネルの設定や、グラフィックの表示など、視聴者の要求等に基づきメモリコントロールや各設定を行う。
【００１４】
図２に制御ＣＰＵ１２の番組情報取得動作を説明するためのフローチャートを示す。本装置の電源がオンされ、一連の初期化動作が終わった後、あるいはタイマにより所定の時間ごとに、制御ＣＰＵ１２は、ステップ１３で各局のＮ日分の番組情報がメモリ１１に記憶されているか否かを確認する。記憶されていれば、ステップ２１に移り、操作を終了して通常の動作に戻る。各局の番組情報が不足していると確認した場合は、ステップ１４に移る。ステップ１４で、ＥＧＰデコーダ８で取得されたデータストリーム中のＥＩＴから、現在視聴中の番組の終了時刻ｔを取得する。ステップ１５で、現在時刻が現在視聴中の番組の終了時刻ｔのＴ分前を過ぎたかどうかを判断し、過ぎていなければステップ１４に戻る。過ぎていればステップ１６へ移る。
【００１５】
ステップ１６では、Ｎ日分の番組情報がメモリ１１に記憶されていない局のうち、チャンネル番号の小さい局から選局するように、制御ＣＰＵ１２はチューナ部２を制御する。選局できたらステップ１７で、ＥＰＧデコーダ８に対して、データストリームから不足している日数分の番組情報を取得しメモリ１１に記憶するように制御する。ステップ１８で、全局のＮ日分の番組情報をメモリ１１に記憶できたかどうか判断し、記憶できていれば、ステップ２２に移り、記憶できていなければ、ステップ１９に移る。ステップ２２で、元の視聴中だった局を選局するようチューナ部２を制御し、ステップ２１に移り、操作を終了して通常の動作に戻る。
【００１６】
ステップ１９では、現在時刻が現在視聴中の番組の終了時刻ｔを過ぎたかどうか判断し、過ぎていなければ、ステップ１６に戻り、チャンネル番号をインクリメントし、不足している日数分の番組情報を取得してメモリ１１に記憶していく。現在時刻が現在視聴中の番組の終了時刻ｔを過ぎていれば、ステップ２０に移る。ステップ２０で、元の視聴中だった局を選局するようチューナ部２を制御し、ステップ１４に戻る。このようにして、全局のＮ日分の番組情報がメモリ１１に記憶されるまで、又は、現在時刻が現在視聴中の番組の終了時刻ｔを過ぎるまで、上記のステップ１６〜１９を繰り返す。
【００１７】
図２に示した番組情報取得処理の間、より優先順位の高い処理があれば、割り込み処理により処理する。ステップ１６〜ステップ１９で、元の視聴中の局と違う局を選局している期間は、ディスプレイに「ただ今、番組情報取得のため選局中です。」などの表示を出して、視聴者にその旨知らせるようにする。
【００１８】
なお、ステップ１５で現在時刻が現在視聴中の番組の終了時刻ｔのＴ分前を過ぎたかどうかを判断したが、この時間Ｔは、あらかじめ装置側で設定されている時間であってもよいし、又は視聴者により設定若しくは変更可能な時間であってもよい。また、取得する番組情報の日数Ｎについても、あらかじめ装置側で設定されていてもよいし、又は視聴者により設定若しくは変更可能であってもよいが、伝送されてくる一定日数（例えば８日間）以下とする必要がある。
【００１９】
このように構成されたデジタル放送受信装置においては、各局のＮ日分の番組情報がメモリ１１に記憶されていない場合、自動的に番組情報が不足している局を選局して番組情報を取得するので、視聴者が電子番組ガイドを表示しようとしたとき、番組情報が記憶されていないためにすぐに表示できないという可能性が低減する。一般に、番組放送時間枠の最後の１，２分はお知らせやコマーシャルが放送される場合が多く、この間に選局を切り換えても視聴者の邪魔になる可能性は低い。
【００２０】
実施の形態２．
実施の形態１では、各局のＮ日分の番組情報がメモリ１１に記憶されていない場合、現在視聴中の番組の終了時刻の所定時間前に自動的に番組情報が不足している局を選局して番組情報を取得するように構成したが、本実施の形態２では、ディスプレイ上に番組情報が不足している旨の情報を表示して番組情報の取得を視聴者の判断に委ねるようにした場合を示す。
【００２１】
図３は、実施の形態２における、制御ＣＰＵ１２の番組情報取得動作を説明するためのフローチャートである。なお、上述の図１は、実施の形態２のデジタル放送受信装置においても同様の構成である。図３において、実施の形態１と同様に、本装置の電源がオンされ、一連の初期化動作が終わった後、あるいはタイマにより所定の時間ごとに、制御ＣＰＵ１２は各局のＮ日分の番組情報がメモリ１１に記憶されているか否かを確認する（ステップ１３）。記憶されていれば、ステップ２１に移り、操作を終了して通常の動作に戻る。各局の番組情報が不足していると確認した場合は、ステップ２３に移る。
【００２２】
ステップ２３では、例えば「電子番組ガイドを表示するための番組情報が不足しています。各局を選局しての番組情報取得を開始しますか？  はい  いいえ」などと番組情報が不足していることをディスプレイ上に表示し、各局を選局して番組情報を取得することを促す。ステップ２４では、視聴者がリモコンの決定ボタンを押すことにより番組情報取得の開始が指示されるまで待機する。ステップ２４で、視聴者がリモコンにより「いいえ」の決定ボタンを押して番組情報取得の開始を行わない旨の指示を行った場合には、ステップ２３に戻り、一定時間後に表示を再度行って各局を選局して番組情報を取得することを促す。一方、ステップ２４で、視聴者がリモコンにより「はい」の決定ボタンを押して番組情報取得の開始を指示した場合には、ステップ１６へ移る。
【００２３】
図３に示したステップ１６から１８、２１、２２については、実施の形態１の場合と同様である。即ち、ステップ１６では、Ｎ日分の番組情報がメモリ１１に記憶されていない局のうち、チャンネル番号の小さい局から選局するように、制御ＣＰＵ１２はチューナ部２を制御する。選局できたらステップ１７で、ＥＰＧデコーダ８に対して、データストリームから不足している日数分の番組情報を取得しメモリ１１に記憶するように制御する。ステップ１８で、全局のＮ日分の番組情報をメモリ１１に記憶できたかどうか判断し、記憶できていれば、ステップ２２に移り、記憶できていなければ、ステップ１６に戻る。ステップ２２で、元の視聴中だった局を選局するようチューナ部２を制御し、ステップ２１に移り、操作を終了して通常の動作に戻る。
【００２４】
実施の形態２では、各局のＮ日分の番組情報がメモリ１１に記憶されていない場合、視聴者の指示に基づいて番組情報が不足している局を選局して番組情報を取得するので、視聴者が電子番組ガイドを表示しようとしたとき、番組情報が記憶されていないためにすぐに表示できないという可能性が低減する。更に、視聴者が１回リモコン操作を行う必要があるが、視聴者にとって最も邪魔にならないタイミングで番組情報を取得することができる。
【００２５】
【発明の効果】
この発明は、以上説明したように構成されているので、視聴者の番組視聴をできるだけ邪魔することなく、各局の番組情報等の付属情報を効率よく取得することができる。
【図面の簡単な説明】
【図１】実施の形態１、２のデジタル放送受信装置を示すブロック図である。
【図２】実施の形態１における、制御ＣＰＵの番組情報取得動作を説明するためのフローチャートである。
【図３】実施の形態２における、制御ＣＰＵの番組情報取得動作を説明するためのフローチャートである。
【符号の説明】
１  アンテナ、２  チューナ部、３  復調部、４  デスクランブラ、５  デマルチプレクサ、６  オーディオデコーダ、７  ビデオデコーダ、８  ＥＰＧデコーダ、９  音声制御部、１０  映像制御部、１１  メモリ、１２  制御ＣＰＵ。
【図１】
2004274672.tif 000003
【図２】
2004274672.tif 000004
【図３】
2004274672.tif 000005